(57)【要約】【目的】被成形物表面の異なる方向から互いに異なる画像が見えるエンボス画像成型品を作成するためのエンボス版、及び、成形されたエンボス画像成形品、並びに、エンボス版の製造方法を提供する。【構成】基版材１の表面に形成された複数平行線状凸部２と複数平行線状凹部３と、複数平行線状凸部のうちの所定の凸部の第一側に突出して形成された第一画素部４と、複数平行線状凸部のうちの所定の凸部の第二側に突出して形成された第二画素部５とを備え、第一画素部が集まって第一画像を形成し、第二画素部が集まって第二画像を形成し、第一画素部の表面は前記線状凸部から前記第一側に向かって下がる第一角度傾斜面を有し、前記第二画素部の表面は前記線状凸部から前記第二側に向かって下がる第二角度傾斜面を有するエンボス版。【選択図】  図１
2004314344.tif 000002
【特許請求の範囲】
【請求項１】
基版材（１）の表面に形成された複数平行線状凸部（２）と複数平行線状凹部（３）と、前記複数平行線状凸部（２）のうちの所定の平行線状凸部（２）の第一側に突出して形成された第一画素部（４）と、前記複数平行線状凸部（２）のうちの所定の平行線状凸部（２）の第二側に突出して形成された第二画素部（５）とを備え、それぞれの平行線状凸部（２）とそれぞれの平行線状凹部（３）が互いに交互に位置し、前記第一画素部（４）の表面は前記平行線状凸部（２）から前記第一側に向かって傾斜する第一角度傾斜面（４ａ）を有し、前記第二画素部（５）の表面は前記平行線状凸部（２）から前記第二側に向かって傾斜する第二角度傾斜面（５ａ）を有し、前記第一画素部（４）が集まって第一画像（４０）を形成し、前記第二画素部（５）が集まって第二画像（５０）を形成することを特徴とするエンボス版。
【請求項２】
前記複数平行線状凸部（２）は所定ピッチで形成され、それぞれの平行線状凸部（２）の上面は略平面形状を有し、前記第一画素部（４）と前記第二画素部（５）のいずれか一つ又は双方が、前記複数平行線状凸部（２）のうちの所定の平行線状凸部（２）から突出して形成され、前記第一画素部（４）と第二画素部（５）のそれぞれの突出長さは、それぞれの平行線状凹部（３）の幅寸法の半分長さよりも短いことを特徴とする請求項１記載のエンボス版。
【請求項３】
それぞれの平行線状凸部（２）の幅は、それぞれの平行線状凹部（３）の幅よりも短いことを特徴とする請求項１又は２記載のエンボス版。
【請求項４】
前記複数平行線状凹部（３）は所定ピッチで形成され、それぞれの平行線状凹部（３）の底面は略平面形状を有し、前記第一画素部（４）は前記第一角度傾斜面（４ａ）に連続して前記平行線状凹部（３）の底面に対して垂直な第一垂直面（４ｂ）を有し、前記第二画素部（５）は前記第二角度傾斜面（５ａ）に連続して前記平行線状凹部（３）の底面に対して垂直な第二垂直面（５ｂ）を有する請求項１、２又は３記載のエンボス版。
【請求項５】
前記それぞれの平行線状凸部（２）の幅は０．００５ｍｍから０．５ｍｍまでの範囲であり、前記それぞれの平行線状凸部（２）の高さは０．００５ｍｍから０．５ｍｍまでの範囲であり、前記それぞれの平行線状凹部（３）の幅は０．００５ｍｍから２．５ｍｍまでの範囲であり、前記それぞれの第一画素部（４）と第二画素部（５）のそれぞれの突出長さは０．００５ｍｍから１ｍｍまでの範囲であることを特徴とする請求項１、２、３又は４記載のエンボス版。
【請求項６】
前記第一角度傾斜面（４ａ）と前記第二角度傾斜面（５ａ）は、前記基版材（１）の表面に対して、５度から８５度までの範囲の傾斜角を有する請求項１，２，３、４又は５記載のエンボス版。
【請求項７】
請求項１記載のエンボス版の使用により被加工物（１０）表面に押圧転写されたエンボス画像成形品であって、前記複数平行線状凸部（２）に合致して形成された複数平行線状成形凹部（１２）と、前記複数平行線状凹部（３）に合致して形成された複数平行線状成形凸部（１３）と、前記複数平行線状成形凹部（１２）のうちの所定の成形凹部（１２）の第一側に突出して形成された第一成形画素部（１４）と、前記複数平行線状成形凹部（１２）のうちの所定の成形凹部（１２）部の第二側に突出して形成された第二成形画素部（１５）とを備え、それぞれの平行線状成形凹部（１２）とそれぞれの平行線状成形凸部（１３）は互いに交互に位置し、前記第一成形画素部（１４）の表面は前記平行線状成形凹部（１２）から前記第一側に位置する成形凸部（１３）に向かって傾斜する第一成形傾斜面（１４ａ）を有し、前記第二成形画素部（１５）の表面は前記平行線状成形凹部（１２）から前記第二側に位置する成形凸部（１３）に向かって傾斜する第二成形傾斜面（１５ａ）を有し、前記第一成形画素部（１４）が集まって第一成形画像（１４０）を形成し、前記第二成形画素部（１５）が集まって第二成形画像（１５０）を形成し、前記被加工物（１０）表面の前記第二側から第一成形画像（１４０）のみが見え、前記第一側から第二成形画像（１５０）のみが見えることを特徴とする、請求項１のエンボス版により被加工物（１０）表面に押圧転写されたエンボス画像成形品。
【請求項８】
前記複数平行線状成形凹部（１２）は所定ピッチで形成され、それぞれの平行線状成形凹部（１２）の底面は略平面形状を有し、前記第一成形画素部（１４）と前記第二成形画素部（１５）のいずれか一つ又は双方が、所定の平行線状成形凹部（１２）から突出して形成され、前記第一成形画素部（１４）と第二成形画素部（１５）のそれぞれの突出長さは、それぞれの平行線状成形凸部（１３）の幅寸法の半分長さよりも短い請求項７記載のエンボス画像成形品。
【請求項９】
前記複数平行線状成形凸部（１３）は所定ピッチで形成され、それぞれの平行線状成形凸部（１３）の上面は略平面形状を有し、前記第一成形画素部（１４）は前記第一成形傾斜面（１４ａ）に連続して前記平行線状成形凸部（１３）の上面に対して垂直な第一成形垂直面（１４ｂ）を有し、前記第二成形画素部（１５）は前記第二成形傾斜面（１５ａ）に連続して前記平行線状成形凸部（１３）の上面に対して垂直な第二成形垂直面（１５ｂ）を有する請求項７又は８記載のエンボス画像成形品。
【請求項１０】
前記それぞれの平行線状凸部（２）に合致して形成された前記平行線状成形凹部（１２）の幅は０．００５ｍｍから０．５ｍｍまでの範囲であり、前記それぞれの平行線状凸部（２）の高さに合致して形成された平行線状成形凹部（１２）の深さは０．００５ｍｍから０．５ｍｍまでの範囲であり、前記それぞれの平行線状凹部（３）に合致して形成された平行線状成形凸部（１３）の幅は０．００５ｍｍから２．５ｍｍまでの範囲であり、前記それぞれの第一成形画素部と第二成形画素部のそれぞれの突出長さは０．００５ｍｍから１ｍｍまでの範囲であることを特徴とする請求項７，８又は９記載のエンボス画像成成形品。
【請求項１１】
前記第一成形傾斜面（１４ａ）前記第二成形傾斜面（１５ａ）は前記被加工物（１０）表面に対して、５度から８５度までの範囲の傾斜角を有する請求項７、８、９又は１０記載のエンボス画像成成形品。
【請求項１２】
（ａ）腐食エッチングにより、金属基材の表面に、複数平行線状凸部（２）と、複数平行線状凹部（３）と、前記複数平行線状凸部のうちの所定の凸部の第一側に突出して形成された第一画素部（４）と、前記複数平行線状凸部のうちの所定の凸部の第二側に突出して形成された第二画素部（５）とを形成するエッチング工程と、（ｂ）機械加工により、前記第一画素部の表面に、前記線状凸部から前記第一側に向かって傾斜する第一角度傾斜面（４ａ）を形成する機械加工工程と、（ｃ）機械加工により、前記第二画素部の表面に、前記線状凸部から前記第二側に向かって傾斜する第二角度傾斜面（５ａ）を形成する機械加工工程とを備え、それぞれの平行線状凸部とそれぞれの平行線状凹部は互いに交互に位置し、前記第一画素部が集まって第一画像（４０）を形成し、前記第二画素部が集まって第二画像（５０）を形成するエンボス版の製造方法。
【請求項１３】
さらに、（ｄ）機械加工により、前記複数平行線状凸部（２）と前記複数平行線状凹部（３）と前記第一画素部（４）と前記第二画素部（５）と前記第一角度傾斜面（４ａ）と前記第二角度傾斜面（５ａ）のうちの少なくとも一つを仕上げ加工する仕上げ機械加工工程を備えた請求項１２記載のエンボス版の製造方法。
【請求項１４】
前記複数平行線状凸部（２）は所定ピッチで形成され、前記第一画素部（４）と前記第二画素部（５）のいずれか一つ又は双方が、所定の平行線状凸部（２）から突出して形成され、それぞれの平行線状凸部（２）の幅は、それぞれの平行線状凹部（３）の幅よりも短く、前記第一画素部（４）と第二画素部（５）のそれぞれの突出長さは、それぞれの平行線状凹部（３）の幅寸法の半分長さよりも短く、前記第一画素部（４）は前記第一角度傾斜面（４ａ）に連続して前記平行線状凹部（３）の底面に垂直な第一垂直面（４ｂ）を有し、前記第二画素部（５）は前記第二角度傾斜面（５ａ）に連続して前記平行線状凹部（３）の底面に垂直な第二垂直面（５ｂ）を有することを特徴とする請求項１２又は１３記載のエンボス版の製方法。
【請求項１５】
前記それぞれの平行線状凸部（２）の幅は０．００５ｍｍから０．５ｍｍまでの範囲であり、前記それぞれの平行線状凸部（２）の高さは０．００５ｍｍから０．５ｍｍまでの範囲であり、前記それぞれの平行線状凹部（３）の幅は０．００５ｍｍから２．５ｍｍまでの範囲であり、前記それぞれの第一画素部（４）と第二画素部（５）のそれぞれの突出長さは０．００５ｍｍから１ｍｍまでの範囲であることを特徴とする請求項１２、１３又は１４記載のエンボス版の製造方法。
【請求項１６】
前記第一角度傾斜面（４ａ）と前記第二角度傾斜面（５ａ）は、前記金属基材の表面に対して、５度から８５度までの範囲の傾斜角を有する請求項１２、１３、１４又は１５記載のエンボス版の製造方法。
【発明の詳細な説明】
【０００１】
【発明の属する技術分野】
本発明は、押圧操作により被加工物表面にエンボス画像を形成するためのエンボス版、そのエンボス版の使用により被加工物の表面に形成されたエンボス画像成形品、及び、そのエンボス版の製造方法に関する。
【０００２】
【従来の技術】
従来、表面に凹凸形状の画像を形成したエンボス成形品は公知である。また、エンボス版を使用して被成形物に押圧転写することにより、凹凸形状の画像を持つエンボス成形品を成形する成形方法が知られている。さらに、押圧転写用に使用されるエンボス版としては、平板形状版やロール形状版が知られている。このような従来の公知のエンボス成形品において、被成形物に形成された画像は、突出した凸部として形成された凸部画像、又は、凹部として形成された凹部画像であり、このような従来のエンボス画像は、成形物表面の全ての方向から同じ画像が見える。
【０００３】
【発明が解決しようとする課題】
従来の公知のエンボス画像は、成形物表面の全ての方向から同じ画像が見えるが、しかしながら、異なる方向から互いに異なる画像が見えるエンボス画像は知られていない。本発明は、被成形物表面の異なる方向から互いに異なる画像が見えるエンボス画像成形品、及び、そのエンボス画像成形品を作成するためのエンボス版、並びに、そのエンボス版の製造方法を提供する。
【０００４】
【課題を解決するための手段】
本発明のエンボス版は、基版材の表面に形成された複数平行線状凸部と複数平行線状凹部と、前記複数平行線状凸部のうちの所定の平行線状凸部の第一側に突出して形成された第一画素部と、前記複数平行線状凸部のうちの所定の平行線状凸部の第二側に突出して形成された第二画素部とを備え、それぞれの平行線状凸部とそれぞれの平行線状凹部は互いに交互に位置し、前記第一画素部が集まって第一画像を形成し、前記第二画素部が集まって第二画像を形成し、前記第一画素部の表面は前記平行線状凸部から前記第一側に向かって傾斜する第一角度傾斜面を有し、前記第二画素部の表面は前記平行線状凸部から前記第二側に向かって傾斜する第二角度傾斜面を有することを特徴とする。
【０００５】
望ましくは、前記複数平行線状凸部は所定ピッチで形成され、それぞれの平行線状凸部の上面は略平面形状を有し、前記第一画素部と前記第二画素部のいずれか一つ又は双方が、前記複数平行線状凸部のうちの所定の平行線状凸部から突出して形成され、前記第一画素部と第二画素部のそれぞれの突出長さは、それぞれの平行線状凹部の幅寸法の半分長さよりも短い。
【０００６】
さらに望ましくは、それぞれの平行線状凸部の幅は、それぞれの平行線状凹部の幅よりも短い。
【０００７】
さらに望ましくは、前記複数平行線状凹部は所定ピッチで形成され、それぞれの平行線状凹部の底面は略平面形状を有し、前記第一画素部は前記第一傾斜面に連続して平行線状凹部の底面に垂直な第一垂直面を有し、前記第二画素部は前記第二傾斜面に連続して前記平行線状凹部の底面に垂直な第二垂直面を有する。
【０００８】
さらに望ましくは、前記それぞれの平行線状凸部の幅は０．００５ｍｍから０．０５ｍｍまでの範囲であり、前記それぞれの平行線状凸部の高さは０．００５ｍｍから０．５ｍｍまでの範囲であり、前記それぞれの平行線状凹部の幅は０．００５ｍｍから２．５ｍｍまでの範囲であり、前記それぞれの第一画素部と第二画素部のそれぞれの突出長さは０．００５ｍｍから１ｍｍまでの範囲である。
【０００９】
さらに望ましくは、前記第一角度傾斜面と前記第二角度傾斜面は、前記基版材の表面に対して、５度から８５度までの範囲の傾斜角を有する。
【００１０】
本発明のエンボス画像成形品は、上記のエンボス版により被加工物表面に押圧転写されたエンボス画像成形品であって、前記複数平行線状凸部に合致して形成された複数平行線状成形凹部と、前記複数平行線状凹部に合致して形成された複数平行線状凸部と、前記複数平行線状成形凹部のうちの所定の成形凹部の第一側に突出して形成された第一成形画素部と、前記複数平行線状成形凹部のうちの所定の成形凹部の第二側に突出して形成された第二成形画素部とを備え、それぞれの平行線状成形凹部とそれぞれの平行線状成形凸部は互いに交互に位置し、前記第一成形画素部の表面は前記平行線状成形凹部から前記第一側に位置する成形凸部に向かって傾斜する第一成形傾斜面を有し、前記第二成形画素部の表面は前記平行線状成形凹部から前記第二側に位置する成形凸部向かって傾斜する第二成形傾斜面を有し、前記第一成形画素部が集まって第一成形画像を形成し、前記第二成形画素部が集まって第二成形画像を形成し、前記被加工物表面の前記第二側から第一成形画像のみが見え、前記第一側から第二成形画像のみが見えることを特徴とする。
【００１１】
望ましくは、前記複数平行線状成形凹部は所定ピッチで形成され、それぞれの平行線状成形凹部の底面は略平面形状を有し、前記第一成形画素部と前記第二成形画素部のいずれか一つ又は双方が、前記複数平行線状成形凹部のうちの所定の平行線状成形凹部から突出して形成され、前記第一成形画素部と第二成形画素部のそれぞれの突出長さは、それぞれの平行線状凸部の幅寸法の半分長さよりも短い。
【００１２】
望ましくは、それぞれの平行線状成形凹部の幅は、それぞれの平行線状成形凸部の幅よりも短い。
【００１３】
望ましくは、前記複数平行線状成形凸部は所定ピッチで形成され、それぞれの平行線状成形凸部の上面は略平面形状を有し、前記第一成形画素部は前記第一成形傾斜面に連続して前記平行線状成形凸部の上面に対して垂直な第一成形垂直面を有し、前記第二成形画素部は前記第二成形傾斜面に連続して前記平行線状成形凸部の上面に対して垂直な第二成形垂直面を有する。
【００１４】
望ましくは、前記それぞれの平行線状凸部に合致して形成された前記平行線状成形凹部の幅は０．００５ｍｍから０．５ｍｍまでの範囲であり、前記それぞれの平行線状凸部の高さに合致して形成された平行線状成形凹部の深さは０．００５ｍｍから０．５ｍｍまでの範囲であり、前記それぞれの平行線状凹部に合致して形成された平行線状成形凸部の幅は０．００５ｍｍから２．５ｍｍまでの範囲であり、前記それぞれの第一成形画素部と第二成形画素部のそれぞれの突出長さは０．００５ｍｍから１ｍｍまでの範囲である。
【００１５】
さらに望ましくは、前記第一成形傾斜面と前記第二成形傾斜面は、前記被加工物の表面に対して、５度から８５度までの範囲の傾斜角を有する。
【００１６】
本発明のエンボス版の製造方法は、（ａ）エッチングにより、金属基材の表面に、複数平行線状凸部と、複数平行線状凹部と、前記複数平行線状凸部のうちの所定の凸部の第一側に突出して形成された第一画素部と、前記複数平行線状凸部のうちの所定の凸部の第二側に突出して形成された第二画素部とを形成するエッチング工程と、（ｂ）機械加工により、前記第一画素部の表面に、前記線状凸部から前記第一側に向かって下がる第一角度傾斜面を形成する機械加工工程と、（ｃ）機械加工により、前記第二画素部の表面に、前記線状凸部から前記第二側に向かって下がる第二角度傾斜面を形成する機械加工工程とを備え、それぞれの平行線状凸部とそれぞれの平行線状凹部は互いに交互に位置し、前記第一画素部が集まって第一画像を形成し、前記第二画素部が集まって第二画像を形成する。
【００１７】
望ましくは、前記エンボス版の製造方法は、さらに、（ｄ）機械加工により、前記複数平行線状凸部と前記複数平行線状凹部と前記第一突出部と前記第二突出部と前記第一角度傾斜面と前記第二角度傾斜面のうちの少なくとも一つを仕上げ加工する仕上げ機械加工工程を備える。
【００１８】
望ましくは、前記複数平行線状凸部は所定ピッチで形成され、前記第一画素部と前記第二画素部のいずれか一つ又は双方が、前記複数平行線状凸部のうちの所定の平行線状凸部から突出して形成され、それぞれの平行線状凸部の幅は、それぞれの平行線状凹部の幅よりも短い。また、望ましくは、前記第一画素部と第二画素部のそれぞれの突出長さは、それぞれの平行線状凹部の幅寸法の半分長さよりも短い。また、望ましくは、前記第一画素部は前記第一角度傾斜面に連続して平行線状凹部の底面に垂直な第一垂直面を有し、前記第二画素部は前記第二角度傾斜面に連続して前記平行線状凹部の底面に垂直な第二垂直面を有する。
【００１９】
さらに望ましくは、前記それぞれの平行線状凸部の幅は０．００５ｍｍから０．０５ｍｍまでの範囲であり、前記それぞれの平行線状凸部の高さは０．００５ｍｍから０．５ｍｍまでの範囲であり、前記それぞれの平行線状凹部の幅は０．００５ｍｍから２．５ｍｍまでの範囲であり、前記それぞれの第一画素部と第二画素部のそれぞれの突出長さは０．００５ｍｍから１ｍｍまでの範囲である。
【００２０】
さらに望ましくは、前記第一角度傾斜面と前記第二角度傾斜面は、前記基版材の表面に対して、５度から８５度までの範囲の傾斜角を有する。
【００２１】
【作用】
基版材の表面に形成された複数平行線状凸部と複数平行線状凹部と、前記複数平行線状凸部のうちの所定の凸部の第一側に突出して形成された第一画素部と、前記複数平行線状凸部のうちの所定の凸部の第二側に突出して形成された第二画素部とを備え、それぞれの平行線状凸部とそれぞれの平行線状凹部は互いに交互に位置し、前記第一画素部の表面は前記線状凸部から前記第一側に向かって傾斜する第一角度傾斜面を有し、前記第二画素部の表面は前記線状凸部から前記第二側に向かって傾斜する第二角度傾斜面を有し、前記第一画素部が集まって第一画像を形成し、前記第二画素部が集まって第二画像を形成することを特徴とするエンボス版により、被加工物表面に押圧転写し易いエンボス版が得られる。転写された画像において、被加工物表面の第一側からは第二成形画素部の第二成形傾斜面のみが見え、この第二成形傾斜面の集まりにより、第二成形画像のみが見える。被加工物の第二側からは第一成形画素部の第一成形傾斜面のみが見え、この第一成形傾斜面の集まりにより、第一成形画像のみが見える。このように見る角度により、異なる画像が見える。視覚的に異方性を有する視覚チェンジング機能を持つ画像が得られる。被加工物表面に転写された鮮明な転写画像が得られる。また、本発明のエンボス版は、被加工物表面に、転写欠陥のないエンボス画像を押圧転写することができる。これに対して、第一画素部が第一角度傾斜面を持たなく、また第二画素部が第二角度傾斜面を持たない場合、被加工物表面の全ての方向から、第一成形画像と第二成形画像が見えてしまい、視覚的に異方性を有するチェンジング機能を持つ画像が得られない。
【００２２】
前記複数平行線状凸部は所定ピッチで形成され、それぞれの平行線状凸部の上面は略平面形状を有し、前記第一画素部と前記第二画素部のいずれか一つ又は双方が、前記複数平行線状凸部のうちの所定の平行線状凸部から突出して形成され、前記第一画素部と第二画素部のそれぞれの突出長さは、それぞれの平行線状凹部の幅寸法の半分長さよりも短い。この構成により、第一画素部と第二画素部とが互いに重なることが防止され、鮮明な画像が得られる。また、被加工物表面に押圧転写された成形画像において、第一成形画像と第二成形画像の見え方が、著しく鮮明になる。これに対して、前記第一画素部と第二画素部のそれぞれの突出長さがそれぞれの平行線状凹部の幅寸法の半分長さよりも長い場合、第一画素部と第二画素部とが互いに重なり、画像の鮮明性がやや劣る。
【００２３】
それぞれの平行線状凸部の幅は、それぞれの平行線状凹部の幅よりも短い場合、被加工物表面に押圧転写された成形画像において、第一成形画像と第二成形画像の見え方が、著しく鮮明になる。これに対して、それぞれの平行線状凸部の幅がそれぞれの平行線状凹部の幅よりも長い場合、第一成形画像と第二成形画像が、やや粗な画像になる。
【００２４】
前記複数平行線状凹部は所定ピッチで形成され、それぞれの平行線状凹部の底面は略平面形状を有し、前記第一画素部は前記第一傾斜面に連続して平行線状凹部の底面に垂直な第一垂直面を有し、前記第二画素部は前記第二傾斜面に連続して前記平行線状凹部の底面に垂直な第二垂直面を有する。この構成により、被加工物表面に押圧転写された成形画像において、第一画素部に合致して形成された第一成形画像のみが見える角度がより広くなるとともに、第二画素部に合致して形成された第二成形画像のみが見える角度がより広くなる。これに対して、第一垂直面又は第二垂直面を有しないエンボス版の場合、第一画素部に合致して形成された第一成形画像のみが見える角度がやや狭くなり、第二画素部に合致して形成された第二成形画像のみが見える角度がやや狭くなる。
【００２５】
前記それぞれの平行線状凸部の幅は０．００５ｍｍから０．５ｍｍまでの範囲であり、前記それぞれの平行線状凸部の高さは０．００５ｍｍから０．５ｍｍまでの範囲であり、前記それぞれの平行線状凹部の幅は０．００５ｍｍから２．５ｍｍまでの範囲であり、前記それぞれの第一画素部と第二画素部のそれぞれの突出長さは０．００５ｍｍから１ｍｍまでの範囲である。この構成により、被加工物表面に押圧転写された成形画像において、著しく微細な成形画像が鮮明に得られる。それぞれの構成要素の寸法が上記範囲よりも大きいエンボス版においては、成形画像の画像が粗くなり、又、上記範囲よりも小さい場合、機械加工がやや難しくなる。
【００２６】
前記第一角度傾斜面と前記第二角度傾斜面は、前記基版材の表面に対して、５度から８５度までの範囲の傾斜角を有する。この構成により、被加工物表面に押圧転写された成形画像において、第一側から見える第二成形画像と、第二側から見える第一成形画像のチェンジング視角の切り換え角度が明瞭になる。また、最適な異方性チェンジング視角が得られる。これに対して、第一角度傾斜面と第二角度傾斜面の傾斜角が上記の範囲外のエンボス版の場合、第一成形画像と第二成形画像との見える角度が切替わるチェンジング視角の切換角度が狭くなる。
【００２７】
本発明のエンボス版の使用により被加工物表面に押圧転写されて形成されたエンボス画像成形品において、エンボス版の複数平行線状凸部に合致して複数平行線状成形凹部が形成され、エンボス版の複数平行線状凹部に合致して複数平行線状成形凸部が形成され、第一角度傾斜面に合致して第一成形傾斜面が形成され、第二角度傾斜面に合致して第二成形傾斜面が形成される。すなわち、被加工物の表面に形成されたエンボス画像は、複数平行線状成形凹部と複数平行線状成形凸部と、前記平行線状成形凹部の第一側に突出して形成された第一成形画素部と、前記平行線状成形凹部の第二側に突出して形成された第二成形画素部とを備え、それぞれの平行線状成形凹部とそれぞれの平行線状成形凸部が互いに交互に位置し、前記第一成形画素部は前記平行線状成形凹部の第一側に位置するに平行線状成形凸部に向かって傾斜する第一成形傾斜面を有し、前記第二成形画素部は前記平行線状成形凹部の第二側に位置するに平行線状成形凸部に向かって傾斜する第二成形傾斜面を有し、前記第一成形画素部が集まって第一成形画像を形成し、前記第二成形画素部が集まって第二成形画像を形成する。このように形成されたエンボス画像において、被加工物の第一側からは、第二成形画素部の第二成形傾斜面のみが見え、第一成形画素部の第一成形傾斜面が見えない。被加工物の第二側からは、第一成形画素部の第一成形傾斜面のみが見え、第二成形画素部の第二成形傾斜面が見えない。すなわち、被加工物の第一側からは第二成形画像のみが見え、第二側からは第一成形画像のみが見える。なお、被加工物の真上側からは第一成形画像と第二成形画像との双方の画像が見える。
【００２８】
前記複数平行線状成形凹部は所定ピッチで形成され、それぞれの平行線状成形凹部の底面は略平面形状を有し、前記第一成形画素部と前記第二成形画素部のいずれか一つ又は双方が、前記複数平行線状成形凹部のうちの所定の平行線状成形凹部から突出して形成され、前記第一成形画素部と第二成形画素部のそれぞれの突出長さがそれぞれの線状凹部の幅寸法の半分長さよりも短いことなどを特徴とするエンボス版を使用した場合、第一成形画素部と第二成形画素部とが互いに重なることが防止される。また、第一成形画像と第二成形画像の見え方が、著しく鮮明になる。
【００２９】
それぞれの平行線状成形凹部の幅がそれぞれの平行線状成形凸部の幅よりも短い場合、第一成形画像と第二成形画像の見え方が、著しく鮮明になる。
【００３０】
前記平行線成形凸部の上面は略平面形状を有し、前記第一成形画素部は前記第一成形傾斜面に連続して前記平行線状成形凸部の上面に対して垂直な第一成形垂直部を有し、前記第二成形画素部は前記成形第二傾斜面に連続して前記平行線状凸部の上面に対して垂直な第二成形垂直部を有するなどを特徴とするエンボス版を使用した場合、第一成形画像のみが見える角度、及び、第二画像のみが見える角度がより広くなる。
【００３１】
さらに、特に、前記それぞれの平行線状成形凹部の幅は０．００５ｍｍから０．５ｍｍまでの範囲であり、前記それぞれの平行線状成形凸部の高さは０．００５ｍｍから０．５ｍｍまでの範囲であり、前記それぞれの平行線状成形凸部の幅は０．００５ｍｍから２．５ｍｍまでの範囲であり、前記それぞれの第一成形画素部と第二成形画素部のそれぞれの突出長さは０．００５ｍｍから１ｍｍまでの範囲であるなどを特徴とするエンボス版を使用した場合、著しく微細な成形画像が鮮明に得られる。
【００３２】
前記第一成形傾斜面と前記第二成形傾斜面は、前記被加工物の表面に対して、５度から８５度までの範囲の傾斜角を有する。この構成により、第一側から見える第二成形画像と、第二側から見える第一成形画像のチェンジング視角の切換角度が明瞭になる。
【００３３】
本発明のエンボス版の製造方法は、（ａ）腐食エッチングにより、金属基材の表面に、複数平行線状凸部と、複数平行線状凹部と、前記複数平行線状凸部のうちの所定の凸部の第一側に突出して形成された第一画素部と、前記複数平行線状凸部のうちの所定の凸部の第二側に突出して形成された第二画素部とを形成するエッチング工程と、（ｂ）機械加工により、前記第一画素部の表面に、前記線状凸部から前記第一側に向かって傾斜する第一角度傾斜面を形成する機械加工工程と、（ｃ）機械加工により、前記第二画素部の表面に、前記平行線状凸部から前記第二側に向かって傾斜する第二角度傾斜面を形成する機械加工工程とを備え、それぞれの平行線状凸部とそれぞれの平行線状凹部が互いに交互に位置し、前記第一画素部が集まって第一画像を形成し、前記第二画素部が集まって第二画像を形成する。これにより、精密なエンボス版が容易に製造できる。特に、腐食エッチング工程の後に、機械加工により第一角度傾斜面と第二角度傾斜面を形成する方法により、第一画素部と第二画素部のそれぞれの角度傾斜面を精密に作成出来る。その結果、高い精度を持つ第一成形画像と第二成形画像が作成出来る。
【００３４】
また、前記エンボス版の製造方法は、さらに、（ｄ）機械加工により、前記複数平行線状凸部と前記複数平行線状凹部と前記第一突出部と前記第二突出部と前記第一角度傾斜面と前記第二角度傾斜面のうちの少なくとも一つを仕上げ加工する仕上げ機械加工工程を備える。これにより、さらに高い寸法精度を有するエンボス版が作成出来る。
【００３５】
特に、前記複数平行線状凸部は所定ピッチで形成され、前記第一画素部と前記第二画素部のいずれか一つ又は双方が、前記複数平行線状凸部のうちの所定の線状凸部から突出して形成され、それぞれの平行線状凸部の幅は、それぞれの平行線状凹部の幅よりも短く、前記第一画素部と第二画素部のそれぞれの突出長さは、それぞれの線状凹部の幅寸法の半分長さよりも短い。また、前記第一画素部は前記第一傾斜面に連続して平行凹部の底面に対して垂直な第一垂直面を有し、前記第二画素部は前記第二傾斜面に連続して前記凹部の底面に対して垂直な第二垂直面を有する。このような場合、被加工物表面に押圧転写された成形画像において、第一成形画像のみが見える角度、及び、第二画像のみが見える角度がより広くなる。
【００３６】
特に、前記それぞれの平行線状凸部の幅は０．００５ｍｍから０．５ｍｍまでの範囲であり、前記それぞれの平行線状凸部の高さは０．００５ｍｍから０．５ｍｍまでの範囲であり、前記それぞれの平行線状凹部の平行線状幅は０．００５ｍｍから２．５ｍｍまでの範囲であり、前記それぞれの第一画素部と第二画素部のそれぞれの突出長さは０．００５ｍｍから１ｍｍまでの範囲である場合、この構成により、容易に加工出来るとともに、被加工物表面に押圧転写された成形画像において、著しく微細な成形画像が鮮明に得られる。
【００３７】
特に、前記第一角度傾斜面と前記第二角度傾斜面は、前記基版材の表面に対して、５度から８５度までの範囲の傾斜角を有する。この構成により、容易に加工出来ると共に、被加工物表面に押圧転写された成形画像において、第一側から見える第二成形画像と第二側から見える第一成形画像との見える角度が切り替わるチェンジング視角の切換角度が明瞭になる。
【００３８】
【実施例】
以下に、本発明の典型的実施例を図面を使用して説明する。
【００３９】
典型的実施例１
図１の（イ）は本発明の一実施例のエンボス版の主要部を拡大した平面図であり、図１の（ロ）は本発明の一実施例のエンボス版の主要部を拡大した側面図であり、図２の（イ）は図１（イ）のＡ−Ａ線に沿った断面図であり、図２の（ロ）は図１（イ）のＢ−Ｂ線に沿った断面図である。図３の（イ）は本発明の一実施例のエンボス版に形成される第一画像であり、図３の（ロ）は第二画像であり、図３の（ハ）は第一画像と第二画像との合成画像である。図４は本発明の一実施例のエンボス版の寸法を示す拡大断面図である。
【００４０】
図１（イ）と図１（ロ）において、基版材１の表面に、複数平行線状凸部２と複数平行線状凹部３が基版材１の表面に形成されている。複数平行線状凸部２のそれぞれの凸部の上面は平面形状を有し、複数平行線状凹部３のそれぞれの凹部の底面は平面形状を有する。複数平行線状凸部２のうちの所定の平行線状凸部２の第一側に突出して、第一画素部４が形成されている。複数平行線状凸部２のうちの所定の平行線状凸部２の第二側に突出して、第二画素部５が形成されている。第一画素部４は、第一側に向かって傾斜する第一角度傾斜面４ａを有し、第二画素部５は、第二側に向かって傾斜する第二角度傾斜面５ａを有する。第一角度傾斜面４ａと第二角度傾斜面５ａは、平行線状凸部２から平行線状凹部３に向かって下がる傾斜を有する。なお、第一側と第二側は、複数平行線状凸部２と複数平行線状凹部３の平行線に対して、互いに反対側に位置する。図３（イ）に示されるように、第一画素部４が集まって、第一画像４０が形成される。図３（ロ）に示されるように、第二画素部５が集まって、第二画像５０が形成される。すなわち、図３（ハ）に示されるような第一画像と第二画像が形成されている。このようにして、エンボス版１００が構成されている。平行線状凸部（２）の上面は平行線状凹部（３）の底面に対して略平行に位置する。
【００４１】
望ましくは、エンボス版１００は次の構成を有する。すなわち、複数平行線状凸部２は所定ピッチ（Ｐ）で形成され、第一画素部４と第二画素部５のいずれか一つ又は双方が、所定の線状凸部２から突出して形成され、第一画素部４の突出長さ（Ｌ４）と第二画素部５の突出長さ（Ｌ５）は、それぞれの線状凹部の幅（Ｗ３）の半分長さよりも短い。この構成により、第一画素部４と第二画素部５とが互いに重なることが防止される。また、望ましくは、それぞれの平行線状凸部２の幅（Ｗ２）は、それぞれの平行線状凹部３の幅（Ｗ３）よりも短い。このエンボス版１００を使用して押圧転写されたエンボス画像成形品において、第一成形画像と第二成形画像の見え方が、著しく鮮明になる。
【００４２】
さらに望ましくは、図２（イ）と図２（ロ）に示されるように、第一画素部４は第一角度傾斜面４ａに連続して平行線状凹部３の底面に垂直な第一垂直面４ｂを有し、第二画素部５は第二角度傾斜面５ａに連続して平行線状凹部３の底面に垂直な第二垂直面５ｂを有する。この構成により、このエンボス版１００を使用して押圧転写されたエンボス成形画像において、第一成形画像と第二成形画像とが重なった画像が見える視野角度が狭くなり、第一成形画像のみ及び第二成形画像のみが見える角度がより広くなる。
【００４３】
さらに望ましくは、それぞれの平行線状凸部２の幅（Ｗ２）は０．００５ｍｍから０．５ｍｍまでの範囲であり、特に望ましくは、０．０１ｍｍから０．１ｍｍまでの範囲である。それぞれの平行線状凸部２の高さ（Ｈ２）は０．００５ｍｍから０．５ｍｍまでの範囲であり、特に望ましくは、０．０１ｍｍから０．１ｍｍまでの範囲である。それぞれの平行線状凹部３の平行線状幅（Ｗ３）は０．００５ｍｍから２．５ｍｍまでの範囲であり、特に望ましくは、０．０２ｍｍから１ｍｍまでの範囲である。それぞれの第一画素部４の突出長さ（Ｌ４）と第二画素部５の突出長さ（Ｌ５）はそれぞれ０．００５ｍｍから１ｍｍまでの範囲であり、特に望ましくは、０．０２ｍｍから０．５ｍｍまでの範囲である。この構成により、このエンボス版１００を使用して押圧転写されたエンボス画像成形品において、著しく微細な画像が鮮明に得られる。これに対して、平行線状凸部２の幅（Ｗ２）が０．５ｍｍを越え、平行線状凹部３の幅（Ｗ３）が０．５ｍｍを越え、第一画素部４の突出長さ（Ｌ４）と第二画素部５の突出長さ（Ｌ５）が１ｍｍを越える場合、押圧転写されたエンボス画像成形品の画像の鮮明度がやや劣る。また、平行線状凸部２の幅（Ｗ２）が０．００５ｍｍ未満、平行線状凹部３の幅（Ｗ３）が０．００５ｍｍ未満、第一画素部４の突出長さ（Ｌ４）と第二画素部５の突出長さ（Ｌ５）が０．００５ｍｍ未満の場合、加工方法として特別な精密加工を必要とし、そのために高価になる。
【００４４】
さらに望ましくは、第一角度傾斜面４ａの傾斜角（Ｘ）と第二角度傾斜面５ａの傾斜角（Ｙ）は、基版材１の表面に対して、５度から８５度までの範囲の傾斜角を有する。すなわち、それぞれの傾斜面４ａ、５ａは、それぞれの平行線状凸部２の上表面及びそれぞれの平行線状凹部３に対して、５度から８５度までの範囲の傾斜角を有する。この構成により、被加工物表面に押圧転写された成形画像において、第一側から見える第二成形画像と第二側から見える第一成形画像との見える角度が切り替わるチェンジング視角の切換角度が明瞭になる。なお、傾斜角（Ｘ）と傾斜角（Ｙ）が互いに同じ傾斜角である構成、及び、傾斜角（Ｘ）と傾斜角（Ｙ）が互いに異なる構成が使用できる。これらの角度に依存して、第一側及び第二側から見える画像の範囲が異なってくる。
【００４５】
本実施例のエンボス版１００において、それぞれの平行線状凸部２の幅（Ｗ２）は０．０５ｍｍであり、それぞれの平行線状凸部２の高さ（Ｈ２）は０．０５ｍｍであり、それぞれの平行線状凹部３の平行線状幅（Ｗ３）は０．２５ｍｍであり、それぞれの第一画素部４の突出長さ（Ｌ４）は０．１ｍｍであり、それぞれの第二画素部５の突出長さ（Ｌ５）は０．１ｍｍであり、それぞれの第一画素部４の高さ（Ｈ４）は約０．０２ｍｍであり、それぞれの第二画素部５の高さ（Ｈ５）は約０．０２ｍｍである。第一角度傾斜面４ａの傾斜角度（Ｘ）は約１５度であり、第二角度傾斜面の傾斜角度（Ｙ）は約１５度である。それぞれの平行線状凸部２のピッチ（Ｐ）は０．３ｍｍである。また、第一角度傾斜面４ａと第二角度傾斜面５ａは、基版材１の表面に対して、約１５度の傾斜角を有する。なお、本実施例における図１〜図４において、それぞれの構成要素の寸法精度や縦横の寸法比は概略を示すものであり、正確な寸法精度、寸法比率を示す物ではない。
【００４６】
基版材１としては、特に限定されないが、例えば、金属版やプラスチック版などが使用できる。金属版としては、真鍮版、銅版、マグネシウム版、アルミニウム版、又は、鉄鋼版等が使用される。プラスチック版としては、ベークライト（ポリフェノール樹脂）版などの熱硬化性樹脂版やナイロン（ポリアミド樹脂）版、硬質樹脂などが使用される。基版材１としては、真鍮版、銅版、マグネシウム版が特に望ましく、この場合、腐食エッチング工程と機械加工工程との製造方法により、安価に容易にエンボス版を作成することが可能になり、また、微細な画像を高精度で安価に加工することが可能になる。その結果、より微細なエンボス画像が鮮明に得られる。腐食エッチング加工が困難な材質の場合、機械加工により製造できる。
【００４７】
第一画像、第二画像、第一成形画像、及び第二成形画像としては、特に限定されることなく、例えば、文字、数字、絵柄、図、図形、写真、商標、記号などの任意の画像が形成される。また、これらの画像の方向や向きは特に限定されることなく、例えば、第一画像と第二画像の向きが互いに反対の方向であってもよく、第一画像と第二画像の向きが互いに同じ方向であってもよい。
【００４８】
なお、本典型的実施例のエンボス版は、例えば、（１）腐食エッチング加工と精密機械加工による角度傾斜面の加工とによる製造、又は、（２）彫版工具として数値制御機械を使用した加工、又は、（３）彫版工具としてレーザビームを使用した加工、又は、（４）腐食エッチング加工、機械加工、精密機械加工、数値制御機械加工、レーザビーム加工のうちの所定の加工を組み合わせた複数加工などにより製造される。
【００４９】
本典型的実施例のエンボス版は、第一画素部と第二画素部との双方を備えたエンボス版について説明したが、第一画素部と第二画素部のうちのいずれか一つの画素部を備えたエンボス版も、本実施例と類似して実施可能である。例えば、本実施例において、第一画素部のみが形成され、第二画素部が形成されていないようなエンボス版も実施できる。この場合、被加工物の表面に押圧転写されたエンボス画像において、被成形物表面の第二側から第一成形画像のみが見え、第一側からは何の画像も見えない。このようなエンボス版においても、第二成形画像が形成されないことを除いて上記と同じ作用効果が得られる。
【００５０】
本実施例のエンボス版は、押圧転写してエンボス画像成形品を製造するための版型として使用するための実施例を説明したが、本発明のエンボス版は、押圧転写して使用することなく、そのエンボス版自体が視覚的に異方性を持つチェンジング視角画像としてのエンボス版として使用できる。この場合、第一画像４０と第二画像５０は反転画像ではなく正常画像として彫刻される。
【００５１】
典型的実施例２
図５（イ）は、本発明の一実施例のエンボス版の形状に合致して被加工物表面に押圧転写されたエンボス画像成形品の主要部を拡大した平面図である。図５（ロ）は、被加工物表面に押圧転写されたエンボス画像成形品の主要部の拡大した側面図である。図６（イ）は図５（イ）のＣ−Ｃ線に沿った断面図であり、図６（ロ）はＤ−Ｄ線に沿った断面図である。図７（イ）はエンボス画像成形品に形成された第一成形画像であり、図７（ロ）は第二成形画像である。図７（ハ）は第一成形画像と第二成形画像との合成画像である。本実施例において、典型的実施例１で示したエンボス版１００を使用して、被加工物表面に押圧転写したエンボス画像成形品について説明する。
【００５２】
図５（イ）と図５（ロ）において、被加工物１０の表面に、複数平行線状成形凹部１２と、複数平行線状成形凸部１３と、所定の成形凹部１２から第一側の成形凸部１２に向かって突出する第一成形画素部１４と、所定の成形凹部１２から第二側の成形凸部１２に向かって突出する第二成形画素部１５とが形成されている。複数平行線状成形凹部１２のそれぞれの平行線状成形凹部１２の底面は平面形状を有し、複数平行線状成形凸部１３のそれぞれの平行線状成形凸部の上面は平面形状を有する。第一成形画素部１４は第一成形傾斜面１４ａを有し、第二成形画素部１５は第二成形傾斜面１５ａを有する。ここで、複数平行線状成形凹部１２はエンボス版１００の複数平行線状成形凸部２の押圧転写により形成され、複数平行線状成形凸部１３は複数平行線状成形凹部３の押圧転写により形成され、第一成形画素部１４は第一画素部４の押圧転写により形成され、第二成形画素部１５は第二画素部５の押圧転写により形成される。また、第一成形傾斜面１４ａは第一角度傾斜面４ａの押圧転写により形成され、第二成形傾斜面１５ａは第二角度傾斜面５ａの押圧転写により形成される。図７（イ）と図７（ロ）に示されるように、第一成形画素部１４が集まって、第一成形画像１４０が形成され、第二成形画素部１５が集まって、第二成形画像１５０が形成される。図７（ハ）は第一成形画像１４０と第二成形画像１５０との合成画像である。
【００５３】
望ましくは、複数平行線状成形凹部１２は所定ピッチで形成され、第一成形画素部１４と第二成形画素部１５のいずれか一つ又は双方が、複数平行線状成形凹部１２のうちの所定の平行線状成形凹部１２から突出して形成されている。第一成形画素部１４と第二成形画素部１５のそれぞれの突出長さは、それぞれの平行線状成形凸部１３の幅寸法の半分長さよりも短い。望ましくは、それぞれの平行線状成形凹部１２の幅は、それぞれの平行線状成形凸部１３の幅よりも短い。また、第一成形画素部１４は前記第一成形傾斜面１４ａに連続して平行線状成形凸部１３の上面に対して垂直な第一成形垂直面１４ｂを有し、第二成形画素部１５は第二成形傾斜面１５ａに連続して平行線状成形凸部１３の上面に対して垂直な第二成形垂直面１５ｂを有する。この第一成形垂直面１４ｂは、エンボス版の第一垂直面４ｂの押圧転写により形成され、第二成形垂直面１５ｂは、エンボス版の第二垂直面５ｂの押圧転写により形成される。
【００５４】
図６（イ）に示すように押圧転写されたエンボス画像成形品を第二側から見た場合、図７（イ）のような第一成形画像１４０のみが見えて、第二成形画像１５０は見えない。すなわち、第二側から第一成形傾斜面１４ａのみが見えるが、しかしながら、第二成形傾斜面１５ａは成形凸部１３に隠れて見えない。その結果、第一成形傾斜面１４ａが集まった第一成形画像１４０のみが見える。なお、第二側は、複数平行線状成形凸部１３と複数平行線状成形凹部１２の平行線を中心として第一側に対して反対側に位置する。また、図６（ロ）に示すようにエンボス画像成形品を第一側から見た場合、図７（ロ）のような第二成形画像１５０のみが見えて、第一成形画像１４０は見えない。すなわち、第一側から第二成形傾斜面１５ａのみが見えるが、しかしながら、第一成形傾斜面１４ａは成形凸部１３に隠れて見えない。その結果、第二成形傾斜面１５ａが集まった第二成形画像１５０のみが見える。また、エンボス画像成形品を上側から見た場合、第一成形傾斜面１４ａと第二成形傾斜面１５ａの双方が見えて、その結果、第一成形画像１４０と第二成形画像１５０の双方の画像が見える。このようにして、異方視認性画像が得られる。なお、成形凸部１３は、全ての方向から見える。また、図６の（イ）と（ロ）において、破線矢印は見る角度方向を示す。
【００５５】
特に望ましくは、それぞれの平行線状凸部２に合致して形成された平行線状成形凹部１２の幅は０．００５ｍｍから０．５ｍｍまでの範囲であり、それぞれの平行線状凸部２の高さに合致して形成された平行線状成形凹部１２の深さは０．００５ｍｍから０．５ｍｍまでの範囲であり、それぞれの平行線状凹部３に合致して形成された平行線状成形凸部１３の幅は０．００５ｍｍから２．５ｍｍまでの範囲であり、前記それぞれの第一成形画素部と第二成形画素部のそれぞれの突出長さは０．００５ｍｍから１ｍｍまでの範囲である。
【００５６】
さらに望ましくは、第一成形傾斜面１４ａと第二成形傾斜面１５ａは、被加工物１０の表面に対して、５度から８５度までの範囲の傾斜角を有する。すなわち、第一成形傾斜面１４ａと第二成形傾斜面１５ａは、平行線状成形凸部１３の上表面及びそれぞれの平行線状成形凹部１２に対して、５度から８５度までの範囲の傾斜角を有する。この構成により、被加工物表面に押圧転写された成形画像において、第一側から見える第二成形画像と、第二側から見える第一成形画像のチェンジング視角の切り換え角度が明瞭になる。
【００５７】
本典型的実施例において、被加工物１０としては、特に限定されなく、エンボス版により押圧されることにより凹凸加工可能な材料が使用され、例えば、プラスチック、樹脂、紙、金属箔、軟質金属、ラミネートフィルム又はこれらの組合せ材料などが使用される。
【００５８】
本典型的実施例のエンボス画像成形品は、第一成形画素部と第二成形画素部との双方を備えたエンボス画像成形品について説明したが、第一成形画素部と第二成形画素部のうちのいずれか一つの画素部を備えたエンボス画像成形品も、本実施例と類似して実施可能である。例えば、本実施例において、第一成形画素部のみが形成され、第二成形画素部が形成されていないようなエンボス画像成形品も実施できる。この場合、被成形物表面の第二側から第一成形画像のみが見え、第一側からは何の画像も見えない。このようなエンボス版においても、第二成形画像が形成されないことを除いて上記と同じ作用効果が得られる。
【００５９】
典型的実施例３
本発明の一実施例のエンボス版の製造方法を示す工程図を図８に示す。本典型的実施例においては、典型的実施例１で説明したエンボス版を製造するための製造方法について説明する。本実施例のエンボス版の製造方法は、腐食エッチング工程の第一工程と、機械加工装置による角度傾斜面の加工工程の第二工程とを併用する。図８において、まず、第一工程の腐食エッチング工程について説明する。金属基版材と、その基版材を腐食エッチングするためのフィルムマスクとを準備する。フィルムマスクは通常の公知の方法により作成される。例えば、手作業による作図、又は、コンピューターによる作図などにより、所定の平面図を有するフィルムマスクを作成する。他方、基版材の表面にレジストを塗布する。つぎに、フィルムマスクを介してレジスト塗膜を感光し、焼き付ける。その後、感光していない箇所のレジストを水又は溶剤を用いて除去することにより、レジストを現像する。このようにして、基版材の表面に、露出面と所定の平面図を有するレジスト硬化膜とを形成する。その後、エッチング液を使用して、基版材を腐食エッチングする。この場合、レジスト硬化膜がマスクとして作用して、基版材の露出面のみが腐食エッチングされ、レジスト硬化膜により覆われた基版部は腐食エッチングされない。腐食エッチングの深さは、エッチング時間、エッチング回数、エッチング液濃度などにより制御される。その後、レジスト硬化膜を除去する。このようにして、金属基材の表面に、複数平行線状凸部と、複数平行線状凹部と、その複数平行線状凸部のうちの所定の凸部の第一側に突出して形成された第一画素部と、その複数平行線状凸部のうちの所定の凸部の第二側に突出して形成された第二画素部とを形成する。
【００６０】
つぎに、機械加工による第二工程について説明する。前述の第一工程により作成された所定の腐食エッチング面形状を有する基版材の第一画素部の表面に、精密機械加工装置を使用して、線状凸部から第一側に向かって傾斜する第一角度傾斜面を形成し、さらに、第二画素部の表面に、線状凸部から第二側に向かって傾斜する第二角度傾斜面を形成する。この場合、第一角度傾斜面と第二角度傾斜面とが同時に切削加工されることもできる。
【００６１】
ここで、第一画素部が集まって第一画像を形成し、第二画素部が集まって第二画像を形成する。
【００６２】
このようにして、典型的実施例１で説明したような第一画像と第二画像とを有するエンボス版が製造される。特に、腐食エッチングによる第一工程と機械加工装置による角度傾斜面の加工工程の第二工程とを分離して製造することにより、第一角度傾斜面と第二角度傾斜面の加工精度が著しく向上し、優れた加工精度を有するエンボス版が安価に製造できる。
【００６３】
本典型的実施例のエンボス版の製造方法において、望ましくは、さらに、機械加工により、前記複数平行線状凸部と前記複数平行線状凹部と前記第一突出部と前記第二突出部と前記第一角度傾斜面と前記第二角度傾斜面のうちの少なくとも一つを仕上げ加工する工程を備える。これにより、さらに高い寸法精度を有するエンボス版が作成出来る。
【００６４】
本典型的実施例において、基版材としては特に限定されなく、例えば、真鍮材や銅材が使用される。レジストとしてはネガ型レジストが使用されたが、これに限定されることなく、ポジ型レジストも使用できる。腐食エッチング液としては、基版材に応じて最適な腐食エッチング液が使用され、例えば、基版材が真鍮材や銅材のとき、腐食エッチング液としては、塩化第二鉄液が使用される。また、機械加工としては、例えば、倣い研削装置が使用される。特に、倣い研削装置を使用することにより、角度傾斜面や凹部、突出部の優れた機械加工精度を持つエンボス版が安価に製造できる。
【００６５】
【発明の効果】
本発明のエンボス版により、被加工物表面に押圧転写された鮮明な転写画像が得られる。また、被加工物表面に、転写欠陥のないエンボス画像を押圧転写することができる。転写された画像において、被加工物表面の第一側からは第二成形画像のみが見え、被加工物の第二側からは第一成形画像のみが見える。このように見る角度により、異なる画像が見える。
【００６６】
本発明のエンボス版の形状に合致して被加工物の表面に押圧転写されたエンボス画像成形品により、被加工物表面の第一側から第二成形画像のみが見え、被加工物の第二側から第一成形画像のみが見え、その見え方が鮮明である。
【００６７】
さらに、凸部、凹部、突出部、角度傾斜面の寸法を制御することにより、第一画素部と第二画素部とが互いに重なることが防止され、また、第一成形画像のみが見える角度、及び、第二成形画像のみが見える角度がより広くなる。
【００６８】
本発明のエンボス版の製造方法により、第一角度傾斜面と第二角度傾斜面の加工精度が著しく向上し、優れた加工精度を有するエンボス版が安価に製造できる。その結果、第一成形画像と第二成形画像が鮮明に見える。
【図面の簡単な説明】
【図１】（イ）は本発明の一実施例のエンボス版の主要部を拡大した平面図であり、（ロ）は本発明の一実施例のエンボス版の主要部を拡大した側面図である。
【図２】（イ）は図１（イ）のＡ−Ａ線に沿った断面図であり、（ロ）は図１（イ）のＢ−Ｂ線に沿った断面図である。
【図３】（イ）は本発明の一実施例のエンボス版に形成される第一画像であり、（ロ）は第二画像であり、（ハ）は第一画像と第二画像との合成画像である。
【図４】本発明の一実施例のエンボス版の寸法を示す拡大断面図である。
【図５】（イ）は本発明の一実施例のエンボス版の形状に合致して被加工物表面に押圧転写されたエンボス画像成形品の主要部を拡大した平面図であり、（ロ）は被加工物表面に押圧転写されたエンボス画像成形品の主要部の拡大した側面図である。
【図６】（イ）は図５（イ）のＣ−Ｃ線に沿った断面図であり、（ロ）はＤ−Ｄ線に沿った断面図である。
【図７】（イ）はエンボス画像成形品に形成された第一画像であり、（ロ）は第二画像であり、（ハ）は第一画像と第二画像との合成画像である。
【図８】本発明の一実施例のエンボス版の製造方法を示す工程図である。
【符号の説明】
１  基版材
２  平行線状凸部
３  平行線状凹部
４  第一画素部
４ａ  第一角度傾斜面
４ｂ  第一垂直面
５  第二画素部
５ａ  第二角度傾斜面
５ｂ  第二垂直面
１０  被加工物
１２  平行線状成形凹部
１３  平行線状成形凸部
１４  第一成形画素部
１４ａ  第一成形傾斜面
１４ｂ  第一成形垂直面
１５  第二成形画素部
１５ａ  第二成形傾斜面
１５ｂ  第二成形垂直面
４０  第一画像
５０  第二画像
１００  エンボス版
１４０  第一成形画像
１５０  第二成形画像
Ｗ２  平行線状凸部の幅
Ｗ３  平行線状凹部の幅
Ｌ４  第一画素部の突出長さ
Ｌ５  第二画素部の突出長さ
Ｈ２  平行線状凸部の高さ
Ｈ４  第一画素部の高さ
Ｈ５  第二画素部の高さ
Ｐ  平行線状凸部のピッチ
Ｘ  第一角度傾斜面の傾斜角
Ｙ  第二角度傾斜面の傾斜角
【図１】
2004314344.tif 000003
【図２】
2004314344.tif 000004
【図３】
2004314344.tif 000005
【図４】
2004314344.tif 000006
【図５】
2004314344.tif 000007
【図６】
2004314344.tif 000008
【図７】
2004314344.tif 000009
【図８】
2004314344.tif 000010